(57)【要約】  電気コネクタは、フレキシブル回路板を受容するための本体と、金属製のアクチュエータとを含み、アクチュエータはアクチュエータと本体の支持面との間においてフレキシブル回路板を保持する。略Ｌ字形状の回動アームが設けられ、本体のアクチュエータを回動可能に支持している。アクチュエータは回動軸まわりに回動可能、且つ本体に結合されたフレキシブル回路板の長手方向においてスライド可能である。アクチュエータはアクチュエータの先端において本体と係合する。回動アームがスライドする傾斜面は回動アームに接触する支持面の少なくとも一方の側部に設けられ、回動アームのスライド方向において傾斜している。
2011505661.tif 000002
【特許請求の範囲】
【請求項１】
フレキシブル回路板（３０）の受容部であるし地面（１８）を備えた本体（１）と、
前記フレキシブル回路板（３０）に電気的に接触するために前記本体（１）内に配置された接触端子と、
前記本体（１）回動可能に取付けられたアクチュエータ（２）と、
を備えた電気コネクタにおいて、
前記アクチュエータは、前記フレキシブル回路板が前記本体（１）によって受容されることが可能とされた開位置と、前記フレキシブル回路板が前記本体（１）に保持された閉位置と、の間で前記本体に対して回動可能であり、
前記アクチュエータは、前期閉位置と、ロック位置との間で前記本体（１）に対してスライド可能であり、前記ロック位置において、前記アクチュエータ（２）の回動は防止され、前記フレキシブル回路板は前記アクチュエータ（２）と前記支持面（１８）との間に固定されることを特徴とする電気コネクタ。
【請求項２】
前記本体に固定された一組のロック片をさらに具備し、該ロック片はそれぞれ前記本体（１）の前端部（１ａ）に向かって延在した第１端部（１４ａ）と、前記本体（１）の後端部（１ｂ）に向かって延在した第２端部（１４ｂ）とを備えた電気コネクタにおいて、
前記第２端部（１４ｂ）と前記本体（１）とは前記本体の側部に配置されたスロット（１３）を形成し、
前記アクチュエータは平坦部、一組の支持アームであって各々が前記平坦部の端部から法線方向に延出した支持アーム（３６）と、対応した前記支持アーム（３６）から外側に一組の回動軸であって各々の回動軸は対応したスロット（１３）内に受容される回動軸と、を備えていることを特徴とする請求項１に記載の電気コネクタ。
【請求項３】
前記アクチュエータ（２）はラッチ部材（５）をさらに具備し、該ラッチ部材は、前記アクチュエータ（２）が前記閉位置から前記ロック位置へと移動した場合に、前記第１端部（１４ａ）を係合することを特徴とする請求項２に記載の電気コネクタ。
【請求項４】
前記本体（１）は傾斜面（２７）をさらに具備し、前記アクチュエータ（２）が前記ロック位置から前記閉位置へと移動した場合に、前記支持アームを支持することを特徴とする請求項２に記載の電気コネクタ。
【請求項５】
前記傾斜面（２７）は、複数の傾斜角を有していることを特徴とする請求項４に記載の電気コネクタ。
【請求項６】
前記アクチュエータ（２）は前記平坦部の厚さ方向に持ち上がったボス（３）を備えていることを特徴とする請求項２に記載の電気コネクタ。
【請求項７】
前記スロット（１３）は内向きに突出した凸部を備え、これによって前記スロット（１３）の幅は前記支持面（１８）に直交した方向において部分的に狭くなっていることを特徴とする請求項２に記載の電気コネクタ。
【請求項８】
前記本体（１）は前記支持面（１８）を部分的に取り囲んだ側壁（１７）を備え、該側壁（１７）は前記フレキシブル回路板（３０）の遠位端を受容するための第１スリット（１２ａ）を形成していることを特徴とする請求項１に記載の電気コネクタ。
【請求項９】
前記側壁（１７）は第２スリット（１２ｂ）を形成し、該スリット内には前記フレキシブル回路板（３０）に設けられたノッチ（１６）の先端に近い側の端部が挿入されることを特徴とする請求項１に記載の電気コネクタ。
【請求項１０】
前記支持面（１８）は、前記フレキシブル回路板（３０）に設けられたノッチ（１６）と係合することによって、前記フレキシブル回路板（３０）を面方向に位置決めするためのストッパ（１０）を備えていることを特徴とする請求項１に記載の電気コネクタ。
【請求項１１】
前記アクチュエータ（２）には、前記フレキシブル回路板（３０）と接する面に絶縁被覆（７）が設けられていることを特徴とする請求項１に記載の電気コネクタ。
【請求項１２】
前記支持面（１８）の前記フレキシブル回路板（３０）が延出する側には、少なくとも１つの中央ロック片（２０）が設けられ、
前記アクチュエータ（２）には、前記中央ロック片（２０）に対応する位置において中央ロックアーム（２３）が設けられ、
該中央ロックアーム（２３）は前記中央ロック片（２０）に係合されることが可能であることを特徴とする請求項１に記載の電気コネクタ。
【請求項１３】
前記中央ロック片（２０）の前記アクチュエータ（２）の基端側の端部には、中央スロープ（２８）が設けられていることを特徴とする請求項１２に記載の電気コネクタ。
【請求項１４】
平面状をなすフレキシブル回路板（３０）の端部に取り付けられるコネクタであって、
前記フレキシブル回路板（３０）の先端から所定長さの部分が載せられる支持面（１８）を有し、該支持面に前記フレキシブル回路板（３０）の一方の面の導体に接触する電極（８）を設けてなる本体（１）と、
該本体（１）の前記支持面（１８）との間に前記フレキシブル回路板（３０）を挟持する金属製のアクチュエータ（２）とから構成されてなり、
前記アクチュエータ（２）は、
基端部において前記アクチュエータ（２）の板厚方向に延出し、その後前記アクチュエータ（２）の平板部から離れる向きに延伸している略Ｌ字状の支持アーム（３６）が設けられ、
該支持アーム（３６）の先端には前記フレキシブル回路板（３０）の幅方向に平行な回動軸（６）を備え、
該回動軸（６）が連結される開口部（１３）は前記フレキシブル回路板（３０）の長手方向を長辺とする略長方形状をなし、
前記アクチュエータ（２）は、前記回動軸（６）を中心として前記本体（１）に回動自在、および前記フレキシブル回路板（３０）の長手方向にスライド自在に連結され、前記アクチュエータ（２）の先端部において前記本体（１）と係合するコネクタにおいて、
前記支持面（１８）上の前記回動アーム（３６）と接する部分の少なくとも一方には、前記回動アーム（３６）が摺動する傾斜面（２７）が、前記回動アーム（３６）の移動方向に対して傾斜させて設けられていることを特徴とする電気コネクタ。
【請求項１５】
前記傾斜面（２７）は、複数の傾斜角を有していることを特徴とする請求項１４に記載の電気コネクタ。
【請求項１６】
前記アクチュエータ（２）は、
前記フレキシブル回路板（３０）の前記所定長さの部分と重なる平板状をなしていることを特徴とする請求項１４に記載の電気コネクタ。
【請求項１７】
前記アクチュエータ（２）は、前記フレキシブル回路板（３０）と重なる部分において、前記アクチュエータ（２）の厚さ方向に持ち上がったボス（３）が設けられていることを特徴とする請求項１４に記載の電気コネクタ。
【請求項１８】
前記本体（１）には、前記支持面（１８）を囲む側壁（１７）が設けられ、該側壁（１７）には、前記フレキシブル回路板（３０）の先端が挿入されるスリット（１２ａ）が形成されていることを特徴とする請求項１４に記載の電気コネクタ。
【請求項１９】
前記本体（１）の前記フレキシブル回路板（３０）が延出する側には、前記フレキシブル回路板（３０）に設けられたノッチの先端に近い側の端部が挿入されるスリット（１２ｂ）が形成されていることを特徴とする請求項１４に記載の電気コネクタ。
【請求項２０】
前記支持面（１８）には、前記フレキシブル回路板（３０）に設けられたノッチと係合して前記フレキシブル回路板（３０）を面方向に位置決めするストッパ（１０）が設けられていることを特徴とする請求項１４に記載の電気コネクタ。
【請求項２１】
前記アクチュエータ（２）の前記回動軸（６）が連結される前記スロット１３）には凸部（２６）が設けられ、前記支持面（１８）の法線方向において、前記スロット（１３）の幅を部分的に狭くしていることを特徴とする請求項１４に記載の電気コネクタ。
【請求項２２】
前記アクチュエータ（２）には、前記フレキシブル回路板（３０）と接する面および／またはその裏側の面に絶縁被覆（７）が設けられていることを特徴とする請求項１〜８のいずれか一項に記載の電気コネクタ。
【請求項２３】
前記支持面（１８）の前記フレキシブル回路板（３０）が延出する側には、少なくとも１つの中央ロック片（２０）が設けられ、
前記アクチュエータ（２）の前記中央ロック片（２０）に対応する位置には、中央ロックアーム（２３）が設けられ、
該中央ロックアーム（２３）は前記前記センターロック片（２０）に係合されることを特徴とする請求項１４に記載の電気コネクタ。
【請求項２４】
前記中央ロック部（２０）の前記アクチュエータ（２）の基端側の端部には、中央スロープ（２８）が設けられていることを特徴とする請求項２３に記載の電気コネクタ。
【発明の詳細な説明】
【技術分野】
【０００１】
本発明は電気コネクタに関し、特にフレキシブルプリント回路板等を接続するための電気コネクタに関する。
【背景技術】
【０００２】
近年、電気的接続を行うコネクタには、小型化や電極の高密度化が要求されており、特に最近の電子機器の小型化、高性能化によりその要求はさらに強くなっている。さらに、組立工程の簡素化された電気的接続を満足する要求が存在する。
【０００３】
従来のフレキシブルプリント回路板用コネクタは、フレキシブル回路板に取付けられる部品と、基板に取付けられる部品とで構成されている。そのようなタイプのコネクタは多くの部品を有し、コネクタを小型化することが困難であった。
【０００４】
さらに、従来のコネクタにおいては、フレキシブルプリント回路板との接触の信頼性を向上させるために、部品の強度を向上することが必要であり、そのことはコネクタの物理的なサイズを不可避的に増大する。
【０００５】
本発明による電気コネクタは、フレキシブルプリント回路板に接続するために提供される。一実施形態において、コネクタは本体と本体に連結されたアクチュエータとを備えている。アクチュエータは、フレキシブル回路板が本体によって受容されることが可能とされた開位置と、フレキシブル回路板が本体とアクチュエータとの間で固定され且つ電気コネクタとフレキシブル回路板との間で電気的接続が確立され得ることが可能とされた閉位置と、の間で移動可能である。本体は遠位端からフレキシブル回路板を受容するための支持面を備えている。支持面は、フレキシブル回路板の一方の面の導体に接触する電極を備えている。アクチュエータはアクチュエータと本体の支持面との間においてフレキシブル回路板を保持する。アクチュエータの基端部においてアクチュエータの厚さ方向に延出した後、アクチュエータから離れるようにされた略Ｌ字形状の回動支持アームが設けられている。アクチュエータは回動支持アームの前端においてフレキシブル回路板の幅方向に平行に回動する。本体は一組のスロットを備え、各々のスロットはアクチュエータの回動軸を受容している。開口部は略長方形であり、フレキシブル回路板の長手方向をその長手方向としている。アクチュエータは回動軸まわりに回動可能、且つ本体に結合されたフレキシブル回路板の長手方向の方向においてスライド可能である。アクチュエータはアクチュエータの先端部において本体と係合する。回動アームがスライドする傾斜面は回動支持アームに接触する支持面の少なくとも一側に設けられており、回動アームのスライド方向において傾斜している。
【０００６】
傾斜面は複数の傾斜角を有していてもよい。アクチュエータは平板であり、フレキシブル回路板の一部と重なる。アクチュエータはフレキシブル回路板と重なる部分において、アクチュエータの厚さ方向に持ち上がったボスが設けられている。
【０００７】
本体は支持面を部分的に取り囲んだ側壁を備えている。側壁はフレキシブル回路板の遠位端が挿入される第１スリットを形成している。フレキシブル回路板に設けられたノッチの先端に近い側の端部が挿入される追加的な第２スリットが、フレキシブル回路板が延出する本体の側部において形成されてもよい。支持面はフレキシブル回路板に設けられたノッチと係合してフレキシブル回路板を面方向に位置決めするためのストッパを備えている。
【０００８】
各々のスロット内にアクチュエータの回動軸と協働するための凸部が形成されており、スロットの幅は支持面の法線方向において部分的に狭くなっている。アクチュエータはフレキシブル回路板と接する面および／またはその裏側の面に絶縁被覆が設けられている。
【０００９】
別の実施形態において、支持面のフレキシブル回路板が延出する側には、少なくとも１つの中央ロック片が設けられている。アクチュエータは中央ロック片に対応した位置において中央アームを備えており、中央ロックアームは中央ロック変と係合する。中央スロープはアクチュエータの基端部の中央ロック片の端部に設けられている。
【００１０】
本発明は従来のコネクタよりもより小型のコネクタを提供する。さらに、本発明は、コネクタ部品の増加またはコネクタ構造の複雑化を伴うことなく、フレキシブル回路板への容易な且つ確実な接続を行うことが可能なコネクタを提供する。
【図面の簡単な説明】
【００１１】
【図１】本発明の第1の実施形態によるコネクタの斜視図を示している。
【図２Ａ】図１のＡ−Ａに沿った断面を示した図である。
【図２Ｂ】図２Ａの部分拡大図を示している。
【図３Ａ】図１に示されたコネクタによって部分的に受容されたフレキシブル回路板の部分的な上面を示した図である。
【図３Ｂ】本発明の代替的な実施形態によるコネクタによって部分的に受容されたフレキシブル回路板の部分的な上面を示した図である。
【図４】本発明の別の実施形態によるコネクタによって部分的に受容されたフレキシブル回路板の部分的な上面を示した図である。
【図５Ａ】アクチュエータが閉位置にある状態における図１のコネクタを示した斜視図である。
【図５Ｂ】アクチュエータがロック位置にある状態における図１のコネクタを示した斜視図である。
【図６Ａ】図５ＡのＢ−Ｂに沿った断面を示した図である。
【図６Ｂ】図５ＢのＣ−Ｃに沿った断面を示した図である。
【図７】本発明のさらなる実施形態によるコネクタの斜視図を示している。
【図８】アクチュエータが部分的に閉じられたときの図７のＤ−Ｄ方向に沿った断面を示した図である。
【発明を実施するための形態】
【００１２】
図１に示されたように、本発明の一実施形態による電気コネクタは樹脂製の本体１と、その本体１に取り付けおよび本体１から取外し可能なアクチュエータ２と、本体１の両側に組み付けられたロック片１４と、を備えている。
【００１３】
本体１は先端部１ａと後端部１ｂとを備えている。本体１はフレキシブル回路板３０の遠位端を受容するための支持面１８を備えている。端子溝１９が支持面１８に形成され、その端子溝内に電極８を構成している複数の端子９が挿入されている。端子９は端子溝１９からわずかに突出し、フレキシブル回路板３０と接触する。
【００１４】
本体１は支持面１８を部分的に取り囲んだ側壁１７を備えている。側壁１７の角部において、第１のスリット１２ａが支持面１８と平行に形成されており、そのスリット内にフレキシブル回路板３０の遠位端の角部が挿入されることが可能である。
【００１５】
図４に示された代替的な実施形態において、追加の第２のスリットも支持面１８に形成されており、そのスリット内にもフレキシブル回路板３０の遠位端の角部が挿入されることが可能である。
【００１６】
上方に突出したストッパ１０は支持面１８に形成されている。ストッパ１０は、フレキシブル回路板３０に設けられたノッチ３２と係合することによって、フレキシブル回路板３０を面方向において位置決めしている。これとは逆に、方形の突出部３２ｂがフレキシブル回路板に形成され、且つその方形の突出部３２ｂを受容するための凹部１０ｂが支持面１８に形成されてもよい（図３Ｂ参照）。
【００１７】
図２に示されているように、傾斜面２７は支持面１８の各々の側部に形成されている。傾斜面２７は、低位側が後端部１ｂに隣接し、高位側が先端部１ａに隣接している。
【００１８】
ロック片１４は本体１の両側に組み付けられている。各々のロック片１４は本体１の先端部１ａに向かって延在した第１端部１４ａと、本体１の後端部１ｂに向かって延在した第２端部１４ｂとを備えている。第２端部１４ｂと本体１とは、共に略長方形の凹部またはスロット１３を形成し、そのスロットはロック片１４の一部である上端部１６と本体１の一部である下端部１１とを備えている。
【００１９】
凸部２６は上端部１６に形成され、スロット１３の内部に向かって突出している。スロット１３の幅１１３は、凸部２６が形成された位置において部分的に狭くなっている。
【００２０】
アクチュエータ２は全体的に平板形状であり、フレキシブル回路板３０と重なるカバー部を備えている。カバー部はアクチュエータ２の厚さ方向において立ち上がったボス３を備えている。絶縁性の樹脂によって形成されたコーティング層７は、フレキシブル回路板３０と接触するためにボス３上をカバーしている。
【００２１】
アクチュエータ２の両側の端部には、アクチュエータ２の厚さ方向に延在したロックアーム４が設けられている。各々のロックアーム４の遠位端において、第１端部１４ａと係合するためのラッチ５が形成されている。ラッチ５は、ロックアーム４に対して直交し且つアクチュエータ２のカバー部に平行な方向において突出した突起部５ａを備えていてもよい。第１端部１４ａは突起部５ａと係合するノッチ１５ａを備え、ラッチ５と第１端部１４ａとの間のラッチ効果を強化することも可能である。
【００２２】
アクチュエータ２の基端部は各々の側部に形成された略Ｌ字形状の支持アーム３６を備え、そのアームはアクチュエータ２の厚さ方向においてアクチュエータ２の基端部から延出し、その後肩部３８において直角に曲がって、アクチュエータ２のカバー部と平行な方向において延在している。各々の支持アーム３６の遠位端には、アクチュエータ２のカバー部に平行な回動軸６が設けられている。
【００２３】
アクチュエータ２は、各々の回動軸６が対応したスロット１３内に挿入されることによって本体１に取り付けられている。したがって、アクチュエータ２は、本体１に対して回動軸６について開位置（図１参照）と閉位置（図５Ａ）との間で回動する。さらに、アクチュエータ２は、閉位置（図５Ａ）とロック位置（図５Ｂ）との間で、回動軸６がスロット１３に沿ってスライドすることによって、本体１に対してスライド可能である。
【００２４】
アクチュエータ２が方向２１に沿って、すなわちフレキシブル回路板３０の挿入方向とは逆にスライドするように操作された場合、肩部３８は傾斜面２７の低位端に接触するに至る。アクチュエータ２が方向２１に沿ってさらに移動した場合、肩部３８は傾斜面２７に沿って上方に登る。したがって、図２に示されたように、アクチュエータ２は回動軸６について時計回りの方向２２に沿って回動し、本体１から開位置へと持ち上げられる。
【００２５】
アクチュエータ２が開位置に向かって移動した場合、ロック片１４に力を加えて上方に変形することによって、回動軸６は突起部２６に対抗して且つ突起部２６を超えるように作用する。その後、アクチュエータ２は本体１の先端１ａに隣接したスロット１３の端部においてスライドを停止し、開位置に向かって回動する。
【００２６】
各々の回動軸６は面取りまたはフィレット加工された多角形断面形状を有しており、それは例えば面取りまたはフィレット加工されて、４つの端部６２および４つの平坦な側部６４を備えた正方形断面である。回動軸６の正方形断面の外接円６３の直径１２３、すなわちは対角線上の端部６２の間の距離はスロット１３の幅１１３よりも大きい。回動軸６の高さ１２４（すなわち平坦な側部６４の間の距離）は、スロット１３の幅１１３とほぼ同じサイズである。このことは、回動軸６がスロット１３に沿ってスライドし、ロック片１４を弾性的に変形することによって突起２６を乗り越えることを可能にしている。アクチュエータ２の開位置への回動の際、端部６２はロック片１４に対抗して作用し、ロック片１４によってかけられる弾性力に打ち勝ち、回動軸６のさらなる回動を可能にしている。回動軸６が方向２２ａに沿って約９０°回転した場合、端部６２はロック片１４の上方への変形に起因したスロットの最大ギャップ距離を乗り越える。その後、ロック片１４は元の位置に復帰することが可能となり、平坦部６４上において静止する。例えばユーザによって負荷される外力をかけることなく、ロック片１４は変形することなく、高さ１２４とほぼ同じスロット幅のギャップを伴って、平坦な側部１４に接触したままとなる。直径１２３は幅１１３よりも大きいので、ロック片１４は端部６２に対して作用し、アクチュエータ２の（反時計回り方向２２ｂに沿った）逆回転を防止している。したがって、図１に示したように、アクチュエータ２は開位置において保持される。
【００２７】
アクチュエータ２が開位置にある間に、フレキシブル回路板３０は、フレキシブル回路板３０の遠位端をスリット１２ａおよび／またはスリット１２ｂに挿入することによってコネクタに取り付けられることが可能である。結果的に、フレキシブル回路板３０は部分的にコネクタに取り付けられる。
【００２８】
フレキシブル回路板３０がこの位置にある場合、ストッパ１０はフレキシブル回路板３０に形成されたノッチ３２と係合する。結果的に、フレキシブル回路板３０は支持面１８上に配置され、長手方向において引き抜かれることを防止されている。
【００２９】
その後、アクチュエータ２は外力を負荷されることによって、反時計回り方向２２ｂに沿って回動軸６に関して回動される（図２Ａ）。端部６２はこのときロック片１４を上方に変形させ、アクチュエータ２は閉位置へと回動する。肩部３８が傾斜面２７に沿って下方へと移動すると共に、アクチュエータ２は本体１の後端部１ｂに向かってさらにスライドされる、突起２６は再度上方に弾性変形し、回動軸６が通り過ぎることを可能にしている。図５Ａに示したように、この位置において、アクチュエータ２は支持面１８に対してフレキシブル回路板３０を保持している。
【００３０】
その後、アクチュエータ２のラッチ５は、本体１の後端部１ｂへとアクチュエータ２をスライドすることによって、ノッチ１５ａによって受容される突起部５ａと共にロック片１４の第１端部１４ａの下面に配置される。図５に示されたように、アクチュエータ２はここではロック位置にあり、その位置においてフレキシブル回路板３０は支持面１８とアクチュエータ２との間においてコネクタに固定的に接続されている。
【００３１】
傾斜面２７は多様なタイプの面プロファイルを備えていてもよい。例えば、傾斜面２７の角度は変化してもよく、すなわち、傾斜面２７は曲線プロファイルを備えていてもよい。この形態の下において、アクチュエータ２に負荷される力は、傾斜面２７の角度の任意の変化によって変化する。したがって、アクチュエータ２の開閉はより容易に且つより効果的に機能することが可能である。
【００３２】
一実施形態において、アクチュエータ２の基端部近傍の角度は小さく、且つアクチュエータ２の先端部近傍の角度は大きくてもよい。したがって、本体１から係合解除するためにアクチュエータ２に負荷される力が減少されることが可能である。代替的に、アクチュエータ２の基端部近傍の角度が大きくてもよく、この場合本体１から係合解除するためにアクチュエータ２に負荷される力が増大され得る。アクチュエータ２と本体１とはより堅固に一体に係止されることが可能である。
【００３３】
アクチュエータ２に負荷される力は、徐々に増加するステップにおける角度の変化によって徐々に増加するように変化され得る。代替的に、アクチュエータ２に負荷される力は、傾斜面２７を滑らかな曲線プロファイルに形成することによって連続的に変化され得る。
【００３４】
ストッパ１０は、フレキシブル回路板３０の不適切な挿入位置の検出といった付加的な機能を備えている。フレキシブル回路板３０が正確にコネクタ内に挿入されていない場合、ノッチ３２はストッパ１０を伴って正確に配置されない。すなわち、フレキシブル回路板３０はストッパ１０上に乗り上げ、したがって、アクチュエータ２は閉じられることが不可能となる。フレキスブル回路板３０の不適切な挿入状態が検出され得る。
【００３５】
図３Ｂに示された別の実施形態において、側方突出部３２ｂがフレキシブル回路板３０に形成され、且つ凹部１０ｂが支持面１８に形成されている。凹部１０ｂは側方突出部３２ｂと係合して、フレキシブル回路板３０の本体１からの引き抜きを防止している。この実施形態は、ノッチを形成するための十分な幅を有さないフレキシブル回路板に関して適切な、代替的な解決策を提供している。
【００３６】
アクチュエータ２は、絶縁コーティング７の一部を除去することによって、フレキシブル回路板３０と電気的に接続されている。フレキシブル回路板３０のシールドまたは接地ワイヤをアクチュエータ２に電気的に接続することによって、シールドまたは接地機能が達成されることが可能である。
【００３７】
図７は本発明のさらなる実施形態を示している。この実施形態において、類似の参照符号は、図１で示された前術の実施形態と共通の特徴を参照しており、その説明は省略されている。弧の実施形態において、より多くの端子９´が設けられている。中央ロック片２０が本体１の中央部に形成されており、中央ロックアーム２３が中央ロック片２０に対応してアクチュエータ２に形成されている。逃がし穴２９は、中央ロック片２０とアクチュエータ２とが接続されるときに、中央ロック片２０とアクチュエータ２との間の干渉を防止するために、アクチュエータ２の平坦部に形成されている。
【００３８】
中央スロープ２８は傾斜面２７と同じ面プロファイルを備え、アクチュエータ２の基端部近傍の中央ロック片２０の端部に形成されている。
【００３９】
アクチュエータ２の先端部の中央ロック片２０に対応した位置において、略Ｕ字形状の中央ロックアーム２３が設けられており、アクチュエータ２の厚さ方向に延在している。
【００４０】
フレキシブル回路板をコネクタに接続するために、最初に、前術の実施形態において記載したのと同じ方法でアクチュエータ２を引き出す。アクチュエータ２をスライドしたとき、それぞれのロックアームが係止解除される。その後、アクチュエータ２の肩部３８は傾斜面２７に沿って上昇する。同時に、逃がし穴２９の端部も中央スロープ２８に沿って上昇する。
【００４１】
フレキシブル回路板が本体に挿入された後、アクチュエータ２は閉位置まで回動され、後方にスライドされる。逃がし穴２９の端部は中央スロープ２８に沿って下降する。アクチュエータ２はさらに同じ方向においてロック位置へとスライドし、ロック位置において中央ロックアーム２３は中央ロック片２０と係合する。
【００４２】
端子の数の増加に伴って、アクチュエータ２は上方に押され、端子の半作用力によって曲げられる傾向にある。しかしながら、中央ロック部の作用のために、アクチュエータ２の変形は受容しえる限度内に制限されることが可能である。この実施形態において、中央ロック部は中央部の１つの位置において一つのみ設けられているが、１つ以上の中央ロック部が必要に応じて複数の位置に設けられてもよい。
【００４３】
アクチュエータ２を持ち上げるための傾斜面が、支持面と中央ロック片２０との両方に形成され、コネクタが同じ効果的な法則において作用する１つのみの傾斜面を備えてもよいということが理解されるだろう。
【符号の説明】
【００４４】
１  ・・・本体
１ａ  ・・・先端部
１ｂ  ・・・後端部
２  ・・・アクチュエータ
３  ・・・ボス
４  ・・・ロックアーム
５  ・・・ラッチ
５ａ  ・・・突起部
６  ・・・回動軸
７  ・・・絶縁コーティング
６２  ・・・端部
６３  ・・・外接円
１２３  ・・・外接円直径
６４  ・・・平坦な側部
１２４  ・・・高さ
８  ・・・電極
９，９´  ・・・端子
１０  ・・・ストッパ
１０ｂ  ・・・凹部
１１  ・・・下端部
１２ａ  ・・・第１スリット
１２ｂ  ・・・第２スリット
１３  ・・・スロット
１４  ・・・ロック片
１４ａ  ・・・第１端部
１４ｂ  ・・・第２端部
１５ａ  ・・・ノッチ
１６  ・・・上端部
１７  ・・・側壁
１８  ・・・支持面
１９  ・・・端子溝
２０  ・・・中央ロック片
２１  ・・・挿入方向と反対方向
２２ａ  ・・・時計回り方向
２２ｂ  ・・・反時計回り方向
２３  ・・・中央ロックアーム
２６  ・・・凸部
２７  ・・・傾斜面
２８  ・・・中央スロープ
２９  ・・・逃がし穴
３０  ・・・フレキシブル回路板
３２  ・・・ノッチ
３２ｂ  ・・・側方突出部
３６  ・・・支持アーム
３８  ・・・肩部
【図１】
2011505661.tif 000003
【図２Ａ】
2011505661.tif 000004
【図２Ｂ】
2011505661.tif 000005
【図３Ａ】
2011505661.tif 000006
【図３Ｂ】
2011505661.tif 000007
【図４】
2011505661.tif 000008
【図５Ａ】
2011505661.tif 000009
【図５Ｂ】
2011505661.tif 000010
【図６Ａ】
2011505661.tif 000011
【図６Ｂ】
2011505661.tif 000012
【図７】
2011505661.tif 000013
【図８】
2011505661.tif 000014
【国際調査報告】
2011505661.tif 000015
2011505661.tif 000016